(57)【要約】【課題】  異なった外壁材の耐衝撃強度の違いを確実に印象付けることができ、かつ、外壁材の交換を容易に行うことができる外壁耐衝撃強度体験装置を提供する。【解決手段】  略立方体形状のフレーム２と、床面６と天井面７との間に固定され、その中間部にフレーム２を回動可能に支持する支持軸３と、フレーム２から適宜の距離を隔てた位置に揺動可能に設けられた棒体４とを具備し、フレーム２は、外周四面のうち、一面に透明板２１、残りの三面に異なった外壁試験板５が設けられ、底面２ａおよび上面２ｂの中心が支持軸３間に支持され、支持軸３に対してフレーム２を回動させてこのフレーム２に設けられた外壁試験板５を棒体４の先端部に対置させた状態とし、棒体４の先端部を外壁試験板５に衝突させることができるようになされた外壁耐衝撃強度体験装置１である。【選択図】  図１
2005195743.tif 000002
【特許請求の範囲】
【請求項１】
略立方体形状に枠組みされたフレームと、床面と天井面との間に固定され、その中間部にフレームを回動可能に支持する支持軸と、フレームから適宜の距離を隔てた位置に揺動可能に設けられた棒体とを具備し、
フレームは、外周四面に形成された区画のうち、一面に透明板が設けられ、残りの三面に異なった外壁試験板が設けられるとともに、底面および上面の中心が支持軸間に支持されて底面および上面の中心を通過する中心軸に沿って回動可能となされ、
支持軸に対してフレームを回動させてこのフレームに設けられた外壁試験板を棒体の先端部に対置させた状態として、揺動させた棒体の先端部をフレームに設けられた外壁試験板に衝突させることができるようになされたことを特徴とする外壁耐衝撃強度体験装置。
【発明の詳細な説明】
【技術分野】
【０００１】
本発明は、異なった種類の外壁の耐衝撃強度の違いを体験することができるようになされた装置に関するものである。
【背景技術】
【０００２】
一般に、住宅建物の外壁は、地震、台風、風雨、火災などのあらゆる状況を考慮して設計されている。したがって、外壁は、台風や竜巻の発生時に飛来物が衝突しても大丈夫なように、定められた一定の耐衝撃強度を有するものが使用されている。
【０００３】
このような外壁の耐衝撃強度については、文章や写真などを用いてカタログに紹介したり、展示住宅に訪れた購入予定者に、セールスマンが口頭で説明したりしていた。
【０００４】
しかし、実際の住宅に使用されている外壁の性能の違いは、カタログに紹介したり、口頭で説明したりしても、実感することができない。
【０００５】
そこで、従来より、このような性能の違いを体験できるようになされたものとして、ピッチングマシンからの投球を異なった外壁材に投げて衝突させ、それぞれの外壁材の破壊具合と、投球時の投球速度とを見ることができるようになされた体験装置が提案されている。
【特許文献１】特開２００３−２２８２８２号公報
【発明の開示】
【発明が解決しようとする課題】
【０００６】
しかし、上記従来の体験装置の場合、投球時の投球速度で実際の衝撃強度を推測するしかないので、外壁材の破壊具合を見ていても、その投球速度がどの程度の破壊強度なのかということを身をもって実感することができないといった不都合を生じることとなる。
【０００７】
また、ピッチングマシンの投球が万が一被験者に当たらないようにするために、体験装置と被験者とを隔てるネットなどを設けなければならず、設備が大型化するとともに、外壁材が破壊される毎に、装置を停止させてネットを越え外壁材の入れ換え作業を行わなければならず、煩わしいといった不都合を生じる。
【０００８】
本発明は係る実情に鑑みてなされたものであって、異なった外壁材の耐衝撃強度の違いを確実に印象付けることができ、かつ、外壁材の交換を容易に行うことができる外壁耐衝撃強度体験装置を提供することを目的としている。
【課題を解決するための手段】
【０００９】
上記課題を解決するための本発明の外壁耐衝撃強度体験装置は、略立方体形状に枠組みされたフレームと、床面と天井面との間に固定され、その中間部にフレームを回動可能に支持する支持軸と、フレームから適宜の距離を隔てた位置に揺動可能に設けられた棒体とを具備し、フレームは、外周四面に形成された区画のうち、一面に透明板が設けられ、残りの三面に異なった外壁試験板が設けられるとともに、底面および上面の中心が支持軸間に支持されて底面および上面の中心を通過する中心軸に沿って回動可能となされ、支持軸に対してフレームを回動させてこのフレームに設けられた外壁試験板を棒体の先端部に対置させた状態として、揺動させた棒体の先端部をフレームに設けられた外壁試験板に衝突させることができるようになされたものである。
【発明の効果】
【００１０】
以上述べたように、本発明によれば、支持軸に対してフレームを回動させてこのフレームに設けられた外壁試験板を棒体の先端部に対置させた状態として、揺動させた棒体の先端部をフレームに設けられた外壁試験板に衝突させることで、被験者は、棒体を外壁試験板に衝突させた際の衝撃を自らが受けることとなる。したがって、外壁の耐衝撃強度を身をもって実感することができ、異なった外壁試験板による耐衝撃強度の違いを確実に把握することができる。
【００１１】
また、被験者自らが棒体を揺動させて外壁試験板に衝突させるので、棒体を外壁試験板に衝突させた際の印象を身近に感じることができる。また、被験者自らが棒体を揺動させない限り安全なので、外壁試験板を取り付けたフレームを身近に設置して、外壁試験板を交換作業などを効率良く行うことができる。
【発明を実施するための最良の形態】
【００１２】
以下、本発明の実施の形態を図面を参照して説明する。
【００１３】
図１および図２は外壁耐衝撃強度体験装置１の全体構成の概略を示している。
【００１４】
すなわち、この外壁耐衝撃強度体験装置１は、フレーム２、支持軸３、棒体４を具備し、フレーム２に設けられた外壁試験板５を棒体４に対置させ、この外壁試験板５に棒体４を衝突させることができるようになされている。
【００１５】
フレーム２は、断面Ｌ字状の鋼材を、一辺が約１０００ｍｍの立方体状に溶接固定して形成されている。このうち、底面２ａは、十字状に溶接固定した鋼材で補強されるとともに、鋼板によって底面２ａ全体が塞がれている。また、上面２ｂは、十字状に溶接固定した鋼材で補強されるとともに、頂部が開口する四角錐状に鋼板が設けられている。このフレーム２の外周四面は、各面毎に略正方形状に開口する区画を形成するようになされている。このうち、一面には、一側辺にヒンジ（図示省略）を介してアクリルやポリカーボネートなどの透明樹脂板２１が開閉可能に設けられている。この透明樹脂板２１は、透明樹脂板２１に設けられた把手２２の部分を押し引きすることによって開閉することができる。外周四面の残りの三面は、それぞれ上辺、下辺に、それぞれ断面Ｚ字状となされたガイド部材２３がボルト固定されており、一側辺からこれらガイド部材２３間に外壁試験板５をスライド挿入して三面の各区画に外壁試験板５を取り付けることができるようになされている。スライド挿入した外壁試験板５は、各区画の両側辺に、断面Ｌ字状のガイド部材２４をボルト固定することによって、各区画から外れないように固定される。
【００１６】
支持軸３は、床面６に固定される下軸部３１と、天井梁７に固定される上軸部３２とからなり、下軸部３１と上軸部３２とは、同軸線上に設けられている。この下軸部３１と上軸部３２との間には、間隙が形成され、この間隙にフレーム２を設けるようになされている。この支持軸３は、下軸部３１の上端部とフレーム２の底面２ａの中心との間、および上軸部３２の下端部とフレーム２の上面２ｂの中心との間に、それぞれ軸受けを介して、フレーム２を回動可能に支持するようになされている。これにより、支持軸３の下軸部３１と上軸部３２との間に設けられたフレーム２は、床面６と天井梁７との間に固定された支持軸３に対してフレーム２が自由に回動することができるようになされている。
【００１７】
また、下軸部３１の上端部には、フランジ部３３が設けられており、このフランジ部３３からは、下軸部３１に対して直交する方向にスライド移動可能となされた固定軸３４が設けられている。この固定軸３４は、その先端部を、フレーム２とともに回動する円筒体２５の外周面に穿孔された孔２５ａに挿入したり、挿入離脱させたりすることができるようになされており、フレーム２を回動させた後、この孔２５ａに固定軸３４の先端部を挿入することで、フレーム２が回動しないように固定することができるようになされている。再度フレーム２を回動させる際は、固定軸３４を引っ張って固定軸３４の先端部を孔２５ａから挿入離脱させればよい。この孔２５ａは、円筒体２５の外周面の四箇所に設けられ、フレーム２の外周四面の各面を棒体４と対向した位置に位置決めできるようになされている。
【００１８】
棒体４は、木製の丸棒からなり、上記支持軸３を固定した天井梁７から吊り下げられた一対の紐４１に揺動可能に固定されている。この棒体４は、その先端部がフレーム２に固定された外壁試験板５と対向する位置に設けられている。棒体４から吊り下げられた紐４２を握って棒体４を揺動させ、フレーム２に固定された外壁試験板５に衝突させることができる。
【００１９】
次に、このようにして構成される外壁耐衝撃強度体験装置１の使用方法について説明する。
【００２０】
まず、フレーム２の外周三面に異なった外壁試験板５をセットしておく。
【００２１】
フレーム２を回動させて外壁試験板５を棒体４と対向した位置に位置決めする。位置決め後は、フレーム２の円筒体２５の孔２５ａに固定軸３４を挿入してフレーム２が回動しないようにしておく。
【００２２】
この状態にした後、棒体４を揺動させて外壁試験板５に棒体４の先端部を衝突させる。衝撃強度は、被験者が棒体４を外壁試験板５に衝突させる際の力の入れ具合によって調整する。フレーム２の各外周面に設けられた異なった外壁試験板５毎に同様のことを行い、終了後、各外壁試験板５の状態を確認してもらう。
【００２３】
その結果、外壁試験板５の違いによって耐衝撃強度が異なることを容易に把握してもらうことができる。しかも、どの程度の耐衝撃強度であるかは、被験者自身が棒体４を外壁試験板５に衝突させた際の衝撃を自ら受けるので、身をもって体感することができ、印象に残るものとなる。また、外壁試験板５に衝撃を加えた後の外壁試験板５の表面の様子は、身近に見ることができるとともに、外壁試験板５の裏面の様子についても、フレーム２の外周の一面に設けられた透明樹脂板２２から覗き込むことで容易に把握することができる。また、衝撃を加えた後の各外壁試験板５が設けられたフレーム２を支持軸３周りに回動させれば、大勢の被験者がいるような場合であっても、効率良く見てもらうことができ、耐衝撃強度の解説を容易に行うことができる。
【００２４】
また、この外壁耐衝撃強度体験装置１は、被験者自らが棒体４を外壁試験板５に衝突させなければならないので、被験者自らが棒体４を外壁試験板５に衝突させない限り、安全である。したがって、外壁試験板５を取り付けたフレーム２を身近に設置して外壁試験板５の交換作業などを効率良く行うことができる。
【００２５】
さらに、この外壁耐衝撃強度体験装置１は、外壁試験板５が設けられたフレーム２を支持軸３で支持して棒体４で衝撃を加える簡単な構成であり、場所をとらないため、住宅展示棟（図示省略）などの内部に簡単に設置することができる。
【００２６】
なお、本実施の形態において、外壁耐衝撃強度体験装置１は、外周の三面に異なった外壁試験板５を設けるようになされているが、外周の二面に異なった外壁試験板５を設けるようになされたものであってもよい。また、フレーム２への外壁試験板５の固定方法については、特に本願発明のような構造に限定されるものではなく、フレーム２を軸組に見立てて実際の外壁固定金具（図示省略）を用いて外壁試験板５をフレーム２に固定するようになされたものであってもよい。
【００２７】
また、フレーム２は、外周四面を形成する略立方体形状となされているが、外周三面の三角柱形状となされたものであってもよいし、外周五面以上の多角柱形状となされたものであってもよい。
【産業上の利用可能性】
【００２８】
住宅建物の構造説明および販売促進を図る装置として利用できる。
【図面の簡単な説明】
【００２９】
【図１】本発明に係る外壁耐衝撃強度体験装置の全体構成の概略を示す斜視図である。
【図２】図１に示す外壁耐衝撃強度体験装置の側面図である。
【符号の説明】
【００３０】
１  外壁耐衝撃強度体験装置
２  フレーム
２ａ  底面
２ｂ  上面
２１  透明樹脂板
３  支持軸
４  棒体
５  外壁試験板
６  床面
７  天井梁（天井面）
【図１】
2005195743.tif 000003
【図２】
2005195743.tif 000004